(57)【要約】【課題】側型枠部、梁底型枠部、梁側型枠部を連続して一体に成形し、一枚のパネル状にすることによって脱枠を可能とし、これにより型枠の点数を減らし、構築・解体作業を簡略化すると共に作業能率の向上を図り、工期の短縮、施工コストの低廉を可能とした梁付き壁用型枠を提供する。【解決手段】壁Ｗを成形するための壁型枠部１と梁Ｈを成形するための梁底型枠部２及び梁側型枠部３とが連続して一体に成形され、前記梁底型枠部２の上面８が前記梁側型枠部３側の端縁８ａから前記壁型枠部１側の端縁８ｂに亘って漸次低くなる梁付き壁用型枠本体Ｐ１と、前記梁底型枠部２の上面８に合致するようにして載置され、一側面ｂが前記壁型枠部１の内側面１０と連なって面一となると共に上面ｃが前記一側面ｂとほぼ直角に交わる保形部材９と、からなる。【選択図】  図６
2004308285.tif 000002
【特許請求の範囲】
【請求項１】
壁を成形するための壁型枠部と梁を成形するための梁底型枠部及び梁側型枠部とが連続して一体に成形され、前記梁底型枠部の上面が前記梁側型枠部側の端縁から前記壁型枠部側の端縁に亘って漸次低くなる梁付き壁用型枠本体と、前記梁底型枠部の上面に載置され、一側面が前記壁型枠部の内側面と連なって面一となると共に上面が前記一側面とほぼ直角に交わる保形部材と、からなることを特徴とする梁付き壁用型枠。
【請求項２】
壁を成形するための壁型枠部と梁を成形するための梁底型枠部及び梁側型枠部とが連続して一体に成形され、前記梁底型枠部の上面が前記壁型枠部の内側面とほぼ直角に交わる平坦面に成形される梁付き壁用型枠本体と、前記梁底型枠部の上面に合致するようにして載置され、上下に重ねられる一対の分割部材から構成され、一側面が前記壁型枠部の内側面と連なって面一となると共に上面が前記一側面とほぼ直角に交わって前記梁側型枠部の内側面に達し、また、前記両分割部材の重ね面が前記梁側型枠部側の端縁から前記壁型枠部側の端縁に亘って漸次低くなる保形部材と、からなることを特徴とする梁付き壁用型枠。
【発明の詳細な説明】
【０００１】
【発明の属する技術分野】
本発明は、壁の上端部に沿って梁が一体に設けられた梁付き壁をコンクリートを打設して構築する際に使用される梁付き壁用型枠に関するものである。
【０００２】
【従来の技術】
従来、例えば多層コンクリート構造物にあって、各階の壁、特にその上端部に沿って梁が一体に設けられる壁を構築する場合、まず、壁に鉄筋を配筋した後、建物の内側に位置する壁型枠、柱型枠の他、梁底型枠、梁側型枠を順次構築し、次に、建物の外側に位置する壁側型枠、柱型枠、梁側型枠などを構築するようにしている。また、これらを解体するときは、柱、梁、壁などの各側型枠を順に解体する（例えば、特許文献１参照。）。
【０００３】
【特許文献１】
特開２００２−２５０１３０号公報（第３−４頁、図１）
【０００４】
【発明が解決しようとする課題】
前記特許文献１のように、型枠を構築するには、梁付き壁の両面にそれぞれの部位に対応させて区画された壁型枠、梁底型枠、梁側型枠など多くの型枠を接続して取り付けるようにしている。なぜならば、梁は、通常、その底面が壁面に対してほぼ直角に交わっており、その側面が同じ底面に対してほぼ直角に交わっていることから、壁面から梁の側面までそれらの面に沿わせて屈曲した型枠を一体に成形すると、解体時に非常に剥がしずらいからである。
【０００５】
更に、詳しく説明すると、前記屈曲した型枠を剥がす場合、梁の上側から剥がすことになるが、通常、型枠には一定の厚みがあり、しかも、壁に対応する型枠の下端、すなわち、その型枠の外側下端、を中心として回動することになる。ところが、前記回動中心から梁の底面までの距離より前記回動中心から壁に対応する型枠の内側上端までの距離の方が長い関係上、型枠の回動途中で型枠の内側上端が梁の底面に支えて、型枠がそれ以上剥がれないか、剥がし難い。このような事情から、梁付き壁の両面にそれぞれの部位に対応させて区画された壁型枠、梁底型枠、梁側型枠など多くの型枠を接続して取り付けねばならないので、その構築・解体作業には面倒で多くの手間と時間が掛かり作業能率が極めて悪く、しかも、作業者も多く必要となるばかりか工期も長引き、施工コストも高くなるという課題が有る。また、余りに多くのしかも多種の型枠があることから、その管理・移動が非常に煩雑になるという課題もある。
【０００６】
そこで、本発明は上記課題に鑑みてなされたもので、屈曲した型枠を連続して一体に成形し、一枚のパネル状としても脱枠可能とし、これにより型枠の点数を減らし、構築・解体作業を簡略化すると共に作業能率の向上を図り、工期の短縮、施工コストの低廉を可能とした梁付き壁用型枠を提供することを目的とするものである。
【０００７】
【課題を解決するための手段】
かかる目的を達成するため、本発明に係る梁付き壁用型枠は、壁を成形するための壁型枠部と梁を成形するための梁底型枠部及び梁側型枠部とが連続して一体に成形され、前記梁底型枠部の上面が前記梁側型枠部側の端縁から前記壁型枠部側の端縁に亘って漸次低くなる梁付き壁用型枠本体と、前記梁底型枠部の上面に載置され、一側面が前記壁型枠部の内側面と連なって面一となると共に上面が前記一側面とほぼ直角に交わる保形部材と、からなる。
【０００８】
そこで、梁付き壁用型枠を構築してコンクリートを打設した後に、梁付き壁用型枠本体を剥がす場合、梁底型枠部の上面は、梁側型枠部側の端縁から壁型枠部側の端縁に亘って漸次低くなるようになっており、壁型枠部の内側上端が梁の底面の一番低い位置にあるので、壁型枠部の外側下端を中心として梁付き壁用型枠本体を何ら支えることなく外側へ回動して引き剥がし脱枠できる。また、保形部材は、前記梁底型枠部の上面に載置した状態で、一側面が前記壁型枠部の内側面と連なって面一となり、上面が前記一側面とほぼ直角に交わっているので、壁の上端部には、底面が壁と直角に交わる梁が成形される。
【０００９】
これにより、コンクリート打設後の構築・解体作業が格段に向上し、更には、梁付き壁用型枠本体のまま移動できることから、多層階のビルの構築作業が迅速に行なえることになる。また、特に保形部材と梁底型枠部との接触面はコンクリートが張り付くことがないから、梁付き壁用型枠本体を容易に分離でき、その解体がスムーズに行なえる。また、前記梁付き壁用型枠本体における壁型枠部は、その下端が床面にほぼ達しているようにすることが好ましく、これにより梁付き壁用型枠本体が一枚のパネル状に成形でき、その構築・解体作業が、簡略化でき、作業能率が上がる。ただ、一枚程度であれば、壁用型枠部の下方に縦寸法の異なる壁用型枠部を継足して接続するようにしても良い。
【００１０】
本発明に係る梁付き壁用型枠の他の構成としては、壁を成形するための壁型枠部と梁を成形するための梁底型枠部及び梁側型枠部とが連続して一体に成形され、前記梁底型枠部の上面が前記壁型枠部の内側面とほぼ直角に交わる平坦面に成形される梁付き壁用型枠本体と、前記梁底型枠部の上面に合致するようにして載置され、上下に重ねられる一対の分割部材から構成され、一側面が前記壁型枠部の内側面と連なって面一となると共に上面が前記一側面とほぼ直角に交わって前記梁側型枠部の内側面に達し、また、前記両分割部材の重ね面が前記梁側型枠部側の端縁から前記壁型枠部側の端縁に亘って漸次低くなる保形部材と、からなる構成が採られる。
【００１１】
【発明の実施の形態】
以下、本発明に係る梁付き壁用型枠の実施の形態を図面に基づき説明する。なお、本実施の形態においては、壁の上端部に沿って一側にのみ梁が設けられる梁付き壁を構築する場合を説明するが、梁が壁の上端部の両側に設けられている梁付き壁にあっても構築できること勿論である。図１は本発明に係る梁付き壁用型枠の斜視図、図２は壁用型枠の斜視図である。図１に示すように、梁付き壁用型枠Ｐは、梁付き壁用型枠本体Ｐ１と後記する保形部材９とから構成される。
【００１２】
前記梁付き壁用型枠本体Ｐ１は、後記する壁Ｗを成形するための壁型枠部１と後記する梁Ｈを成形するための梁底型枠部２及び梁側型枠部３とが連続して一体に成形され、一枚のパネル状をなす。この梁付き壁用型枠本体Ｐ１は、例えば、横が１０００ｍｍ、縦が２７００ｍｍ、厚みが１００ｍｍの寸法を有し、上部が屈曲した縦長方形状の金属製の外枠４内に、それぞれ所定の間隔離して縦外枠４ａまたは横外枠４ｂに平行な縦桟５ａ、横桟５ｂが複数本配設されている。前記縦外枠４ａは横断面がコ字型をなすように成形され、各縦桟５ａは横断面がＬ字状に成形される。そして、外枠４の一側面に壁型枠部１と梁底型枠部２と梁側型枠部３とに対応させ、それぞれベニヤ板６ａ，６ｂ，６ｃが連なるようにして張設される。各ベニヤ板６ａ，６ｂ，６ｃは、各縦桟５ａ，５ａに設けられた通孔（図示せず。）を介し螺子１２を螺締めして固定される。また、壁型枠部１に対応するベニヤ板６ａには、両側上下部に後記する締付ボルト２１を挿通するためのボルト挿通孔７が開設されている。
【００１３】
前記梁底型枠部２の上面、すなわち、そのベニヤ板６ｂの上面８は、梁付き壁用型枠本体Ｐ１を床面にほぼ垂直に起立させたとき、梁側型枠部３側の端縁８ａから壁型枠部１側の端縁８ｂに亘って直線的にかつ漸次低くなるように成形されている。換言すると、前記梁底型枠部２の上面８は、壁型枠部１側へ下向き傾斜している。その傾斜角度は、水平面に対し通常５度〜４５度の範囲内であって、しかも、梁付き壁用型枠本体Ｐ１が生コンクリートを打設した後に脱枠可能な範囲で選択される。そして、この上面８には、解体作業を容易に行なうための保形部材９が載置される。この保形部材９は、例えば、木製または硬い合成樹脂製または金属製が選ばれ、梁付き壁用型枠本体Ｐ１の横幅とほぼ同じ長さ寸法を有する長板状に成形される。また、その横断面は直角三角形をなし、その三辺の内最も長い傾斜面となる重ね面ａが梁底型枠部２の上面８に合致して載置される。そして、その一側面ｂが壁型枠部１の内側面、すなわち、そのベニヤ板６ａの内側面１０と連なって面一となると共にその上面ｃが内側面１０とほぼ直角に交わって前記梁側型枠部２の内側面、すなわち、そのベニヤ板６ｃの内側面１１に達するようになっている。これにより、保形部材９の上面ｃは、ほぼ水平に設定される。
【００１４】
壁用型枠Ｐ２は、梁付き壁用型枠本体Ｐ１とほぼ同じ大きさ、高さを有し、また、梁付き壁用型枠本体Ｐ１と同様に、縦長方形状の金属製の外枠１３の内側に、それぞれ所定の間隔離して縦外枠１３ａまたは横外枠１３ｂに平行な縦桟１４ａ、横桟１４ｂが複数本配設されている。そして、外枠１３の一側面に一枚のベニヤ板１５が張設されている。前記各縦外枠１３ａも横断面がコ字型をなすように成形され、各縦桟１４ａも横断面がＬ字状に成形される。前記ベニヤ板１５は各縦桟１４ａに設けられた通孔（図示せず。）を介して螺子１２を螺締めして固定される。また、このベニヤ板１５に、梁付き壁用型枠本体Ｐ１の各ボルト挿通孔７に対応位置させて締付ボルト２１を挿通するためのボルト挿通孔１６が開設されている。
【００１５】
前記梁付き壁用型枠Ｐと壁用型枠Ｐ２は、上記構成からなり、次に構築・解体方法について説明する。まず、梁付き壁用型枠本体Ｐ１と壁用型枠Ｐ２は、図３に示すように、いずれも、例えば５枚を一セットとして組み立てられる。すなわち、各梁付き壁用型枠本体Ｐ１と壁用型枠Ｐ２はそれぞれ同じ向きで横方向に連続して配置され、各梁付き壁用型枠本体Ｐ１にあっては、隣り合う縦外枠４ａ，４ａ同士が、その上下部に配置された挟着具１７により強固に挟着される。この挟着具１７は、図４に示すように平面コ字型の主杆１７ａと平面Ｌ型の副杆１７ｂとからなり、主杆１７ａの一端に設けられた螺子部１８に副杆１７ｂの一端に設けられた環状筒部１９を挿通すると共にその外側からナット２０を螺締めすることにより、主杆１７ａの他端と副杆１７ｂの他端との隙間が広狭自在に調節できるようになっている。そして、前記主杆１７ａの先端と副杆１７ｂの先端とで前記両縦外枠４ａ，４ａをその外側から挟むように締付けて一体に固定する。前記各壁用型枠Ｐ２の両縦外枠１３ａ，１３ａ同士も前記と全く同じ方法で挟着する。
【００１６】
このようにして、組み立てられた梁付き壁用型枠群Ａ１と壁用型枠群Ａ２は、必要枚数を例えば施工現場であるビルの所定の階の床面に配置される。この場合、梁付き壁用型枠群Ａ１や壁用型枠群Ａ２は、いずれもクレーン（図示せず。）のワイヤーで吊り上げて運ばれる。そして、梁付き壁を施工する位置に前記梁付き壁用型枠群Ａ１と壁用型枠群Ａ２とを互いにベニヤ板６ａ〜６ｃとベニヤ板１５とが向き合うようにして、かつ、所定の間隔離して平行に配置する。更に、図５に示すように、各ボルト挿通孔７，１６に締付ボルト２１を挿通する。この際、両ベニヤ板６ａとベニヤ板１５との間に、円筒状のスペーサー２２を介在させて前記締付ボルト２１を挿通させるようにする。これにより、梁付き壁用型枠群Ａ１と壁用型枠群Ａ２との間隔がしっかりと保持され、また、生コンクリートを打ち込みこれが固まった後も、締付ボルト２１がコンクリートに接触しないことから、容易に抜けて解体が容易に行なえる。
【００１７】
前記締付ボルト２１は、一端に頭部２１ａが設けられ、他端側の外周面には螺子部２１ｂが設けられている。そして、締付ボルト２１の頭部２１ａ側に大径のワッシャ２３を嵌め、図５に示すように壁用型枠Ｐ２の縦外枠１３ａに開設されたボルト挿通孔２４、ベニヤ板１５のボルト挿通孔１６、スペーサー２２、梁付き壁用型枠本体Ｐ１のベニヤ板６ａ、縦外枠４ａにそれぞれ開設されたボルト挿通孔７，２４に順に挿通する。また、他端の螺子部２１ｂ側にも前記と同じワッシャ２３を嵌め、更に、その外側から螺子部２１ｂにナット２５を螺締する。前記各ワッシャ２３は、隣接する壁用型枠Ｐ２または梁付き壁用型枠本体Ｐ１の隣接する縦外枠４ａ，４ａまたは縦外枠１３ａ，１３ａまで覆う直径を有し、これにより、隣接する互いの縦外枠４ａ，４ａまたは縦外枠１３ａ，１３ａの外側面が面一となり、締付ボルト２１の長手方向における位置ずれがなくなる。
【００１８】
前記各梁付き壁用型枠本体Ｐ１における梁底型枠部２の上面８に、図３に示すように保形部材９を合致するようにして載置する。この場合、各保形部材９の上面ｃは水平面となり、一側面ｂは、壁型枠部１の内側面１０と同一面となる。そして、梁付き壁用型枠群Ａ１、壁用型枠群Ａ２が構築された後は、その間に生コンクリートが打設される。打設後は所定の期間生コンクリートの養生がなされ、コンクリートが乾燥し固まれば解体作業が行われる。
【００１９】
そこで、まず、前記ナット２５を外して、各締付ボルト２１を抜く。各挟着具１７はそのまま取り付けておく。そして、各壁型枠部１の外側下端Ｏ１を中心とし各梁付き壁用型枠本体Ｐ１を図６実線に示すように外側へ回動して引き剥がす。この際、梁底型枠部２の上面８は、梁側型枠部３側の端縁８ａから壁型枠部１側の端縁８ｂ（壁型枠部１の内側上端Ｏ２と同じ。）に亘って直線的に漸次低くなるようになっており、しかも、壁型枠部１の内側上端Ｏ２が梁Ｈの底面ｈ１の一番低い位置にある。よって、壁型枠部１の外側下端Ｏ１を中心として梁付き壁用型枠本体Ｐ１を外側へ回動しても、前記壁型枠部１の内側上端Ｏ２が支えることはなく、その回動動作が行なえることとなり、脱枠が可能となる。
【００２０】
また、保形部材９は、前記梁底型枠部２の上面８に載置した状態で、一側面ｂが前記壁型枠部１の内側面１０と連なって面一となり、上面ｃが前記一側面ｂとほぼ直角に交わって前記梁側型枠部３の内側面１１に達するようにしているので、壁Ｗの上端部には、底面ｈ１が壁Ｗと直角に交わり、側面ｈ２がその底面ｈ１と直角に交わるようにして梁Ｈが成形される。なお、前記保形部材９の上面ｃは、必ずしも梁側型枠部３の内側面１１に達している必要はない。また、保形部材９の重ね面ａと梁底型枠部２の上面８とはコンクリートが張り付くことがないから、各梁付き壁用型枠本体Ｐ１を容易に分離でき、その解体がスムーズに行なえることになる。
【００２１】
そして、その後に各保形部材９を梁Ｈの底面ｈ１から剥がして取り外す。同様に、壁用型枠群Ａ２も外側下端を中心とし回動させて引き剥がす。これにより、梁付き壁Ｄが成形される。なお、床を成形するスラブ底型枠や柱を成形する柱型枠もこの作業と共に行なわれるが、図示は省略する。
【００２２】
前記解体した各梁付き壁用型枠群Ａ１や壁用型枠群Ａ２は、クレーン（図示せず。）のワイヤーで吊り下げてそのまま上層階へ移動させ、次の梁付き壁を成形するための型枠を構築する。このようにして、各階毎に型枠を構築し生コンクリートを打設して順次梁付き壁Ｄが成形されることとなる。この場合、梁付き壁用型枠本体Ｐ１が、壁型枠部と梁底型枠部と梁側型枠部とを連続して一体に成形し一枚のパネル状に成形されているので、これらを横に連結するのみで型枠が構築でき、作業が極めて迅速にできる。
【００２３】
図７乃至図８は、他の実施の形態に係る梁付き壁用型枠Ｐ３を示すものである。なお、本実施の形態と同一部位は同一番号を付すことにより詳しい説明は省略する。この梁付き壁用型枠Ｐ３は、梁付き壁用型枠本体Ｐ４と後記する保形部材９とからなる。梁付き壁用型枠本体Ｐ４は、壁Ｗを成形するための壁型枠部３１と梁Ｈを成形するための梁底型枠部３２及び梁側型枠部３３とが連続して一体に成形され一枚のパネル状をなす。そして、上部が屈曲した縦長方形状の金属製の外枠３４内に、それぞれ所定の間隔離して縦外枠３４ａまたは横外枠３４ｂに平行な縦桟３５ａ、横桟３５ｂが複数本配設されている。前記縦外枠３４ａは横断面がコ字型に成形され、各縦桟３５ａは横断面がＬ字状に成形される。また、外枠３４の一側面に各壁型枠部３１と梁底型枠部３２と梁側型枠部３３とに対応させ、それぞれベニヤ板３６ａ，３６ｂ，３６ｃが連なるようにして張設される。ただ、前記梁底型枠部３２の上面、すなわち、そのベニヤ板３６ｂの上面３８は、壁型枠部３１の内側面４０とほぼ直角に交わるようになっている。
【００２４】
また、前記梁底型枠部３２の上面３８には、保形部材９である同じ形状の一対の分割部材９ａ，９ａが載置される。これら分割部材９ａ，９ａも、例えば、木製または硬い合成樹脂製または金属製が選ばれ、梁付き壁用型枠本体Ｐ４の横幅とほぼ同じ長さ寸法を有した長板状に成形される。そして、その横断面はそれぞれ直角三角形をなし、その三辺の内、最も長い傾斜面となる重ね面ｄが互いに対向するようにし、上下に重ねた状態では、その横断面形状が横長の長方形になるようになっている。しかも、このとき、上部の分割部材９ａの一側面ｅが壁型枠部３１の内側面４０と連なって面一となると共に上面ｆが前記一側面ｅとほぼ直角に交わって前記梁側型枠部３３の内側面であるベニヤ板３６ｃの内側面４１に達し、ほぼ水平に保たれている。また、前記両分割部材９ａ，９ａの重ね面ｄが、前記梁側型枠部３３側の端縁３８ａから前記壁型枠部３１側の端縁３８ｂに亘って直線的に漸次低くなる。
【００２５】
このように成形される梁付き壁用型枠Ｐ３も壁用型枠Ｐ２と一緒に使用され、本実施の形態と同様に、図３に示したように、例えば、いずれも５枚を一セットとして組み立てられる。これら、梁付き壁用型枠群Ａ３と壁用型枠群Ａ２の連結構造、連結方法は、本実施の形態と同様であって詳しい説明は省略する。そして、本実施の形態と同様に梁付き壁用型枠群Ａ３と壁用型枠群Ａ２は、必要枚数を例えば施工現場であるビルの所定の階の床面に配置され、前記各梁付き壁用型枠本体Ｐ４における梁底型枠部３２の上面３８に、一対の分割部材９ａ，９ａを載置する。この場合、上部の分割部材９ａの上面ｆは水平面となる。そして、梁付き壁用型枠群Ａ３、壁用型枠群Ａ２が構築された後は、その間に生コンクリートを打設して、所定の期間養生する。このようにして、コンクリートが乾燥し固まれば、本実施の形態と同様にして解体作業を行なう。
【００２６】
この場合も、壁型枠部３１の外側下端Ｏ１を中心とし、図８実線に示すように梁付き壁用型枠本体Ｐ４を外側へ回動して引き剥がす。この際、上下の分割部材９ａ，９ａの互いの重ね面ｄは壁型枠部３１側に下向き下傾し、下部の分割部材９ａの下端、すなわち壁型枠部３１の内側上端Ｏ２、が重ね面ｄの一番低い位置にあるので、その重ね面ｄで上部と下部の分割部材９ａ，９ａが分離されるも、その脱枠が何ら障害なく容易に行なえることになる。そして、その後に残った上部の各分割部材９ａを引き剥がして取り外す。同様に、壁用型枠群Ａ２も外側下端を中心とし回動させて引き剥がす。これにより、梁付き壁Ｗが成形される。
【００２７】
なお、壁Ｗ上部の両側に梁Ｈを設ける場合は、本実施の形態に係る梁付き壁用型枠群Ａ１または他の実施の形態に係る梁付き壁用型枠群Ａ３をそれぞれ互いにベニヤ板６ａ〜６ｃまたはベニヤ板３６ａ〜３６ｃが対向するように配置して構築すればよい。この場合も本発明が適用できる。
【００２８】
【発明の効果】
以上説明したように、本発明に係る梁付き壁用型枠は、壁型枠部と梁底型枠部と梁側型枠部とを連続して一体に成形すると共に梁底型枠部の上面を梁側型枠部側の端縁から壁型枠部側の端縁に亘って漸次低くなるようにし、また、前記梁底型枠部の上面に保形部材を載置するようにしたので、梁付き壁用型枠を一枚のパネル状としても、梁付き壁用型枠の解体時に壁型枠部の内側上端が梁の底面に支えるといったことがなく、容易に脱枠できることとなる。これにより、壁型枠部と梁底型枠部と梁側型枠部とを連続して一体に成形した梁付き壁用型枠が使用でき、しかも、横に並べて同時に上層階に運ぶこともできることとなり、型枠の構築・解体作業が簡略化されると共に作業能率の格段の向上が図られ、工期の短縮、施工コストの低廉も可能となるといった有益な効果がある。
【００２９】
また、保形部材と梁底型枠部との接触面はコンクリートが張り付くことがないから、梁付き壁用型枠を容易に分離でき、その解体がスムーズに行なえることになる。
【００３０】
梁底型枠部の内側面を壁型枠部の内側面とほぼ直角に交わるようにすると共に保形部材を上下に重合して配置される一対の分割部材により成形するようにし、この保形部材は、一側面が壁型枠部の内側面と連なって面一となると共に上面が前記一側面とほぼ直角に交わって梁側型枠部の内側面に達し、また、前記両分割部材の重ね面が梁側型枠部側の端縁から壁型枠部側の端縁に亘って漸次低くなる構成としても本発明と同等の効果が得られる。
【図面の簡単な説明】
【図１】本発明に係る梁付き壁用型枠の斜視図。
【図２】壁用型枠の斜視図。
【図３】梁付き壁用型枠群と壁用型枠群との組立斜視図。
【図４】同挟着具部位の平面断面図。
【図５】同締付ボルト部位の平面断面図。
【図６】脱枠する状態を示す要部の側面断面図。
【図７】他の実施の形態に係る梁付き壁用型枠の斜視図。
【図８】同脱枠する状態を示す要部の側面断面図。
【符号の説明】
１                  壁型枠部
２                  梁底型枠部
３                  梁側型枠部
８                  上面
８ａ                端縁
８ｂ                端縁
９                  保形部材
９ａ                分割部材
１０                内側面
１１                内側面
Ｐ                  梁付き壁用型枠
Ｐ１                梁付き壁用型枠本体
Ｐ３                梁付き壁用型枠
Ｐ４                梁付き壁用型枠本体
Ｄ                  梁付き壁
Ｈ                  梁
Ｗ                  壁
ｂ                  一側面
ｃ                  上面
ｄ                  重ね面
【図１】
2004308285.tif 000003
【図２】
2004308285.tif 000004
【図３】
2004308285.tif 000005
【図４】
2004308285.tif 000006
【図５】
2004308285.tif 000007
【図６】
2004308285.tif 000008
【図７】
2004308285.tif 000009
【図８】
2004308285.tif 000010